(57)【要約】【課題】点滴容器からの点滴の異常を看護師等に知らせることができる点滴監視装置、サーバおよびプログラムを提供する。【解決手段】実施形態の点滴監視装置は、計測部と、報知部と、を備える。計測部は、点滴する液体が入った点滴容器の重量を計測する。報知部は計測された重量の変化に基づいて液体の点滴速度を算出するとともに、算出した点滴速度が、予め設定された点滴速度を基準とする許容速度範囲外である場合、液体の点滴の異常を報知する。【選択図】図１
2014171475.tif 000002
【特許請求の範囲】
【請求項１】
点滴する液体が入った点滴容器の重量を計測する計測部と、
計測された前記重量の変化に基づいて前記液体の点滴速度を算出するとともに、算出した前記点滴速度が、予め設定された点滴速度を基準とする許容速度範囲外である場合、前記液体の点滴の異常を報知する報知部と、
を備えた点滴監視装置。
【請求項２】
前記報知部は、計測された前記重量の変化に基づいて前記液体の点滴の終了予測時刻を算出するとともに、算出した前記終了予測時刻を報知する請求項１に記載の点滴監視装置。
【請求項３】
自装置をスタンドに対して吊り下げ支持可能とする第１支持部と、
前記点滴容器を自装置に吊り下げ支持可能な第２支持部と、
自装置の加速度を検出する検出部と、を備え、
前記報知部は、前記検出部により検出された加速度が所定の加速度より大きい場合、前記液体の点滴の異常を報知する請求項１または２に記載の点滴監視装置。
【請求項４】
点滴する液体が入った点滴容器の重量を計測する計測部と、
前記計測部により計測された前記重量および当該重量が計測された時刻を、サーバに送信する送信部と、
を備えた点滴監視装置。
【請求項５】
点滴する液体が入った点滴容器の重量を計測する計測部を備えた点滴監視装置から、計測された前記重量および当該重量が計測された時刻を取得する取得部と、
取得した前記重量の変化および取得した前記時刻に基づいて前記液体の点滴速度を算出するとともに、算出した前記点滴速度が、予め設定された点滴速度を基準とする許容速度範囲外である場合、前記液体の点滴の異常に関する異常情報を外部機器に送信して、前記液体の点滴の異常を報知させる報知部と、
を備えたサーバ。
【請求項６】
コンピュータを、
点滴する液体が入った点滴容器の重量を計測する計測部を備えた点滴監視装置から、計測された前記重量および当該重量が計測された時刻を取得する取得部と、
取得した前記重量の変化および取得した前記時刻に基づいて前記液体の点滴速度を算出するとともに、算出した前記点滴速度が、予め設定された点滴速度を基準とする許容速度範囲外である場合、前記液体の点滴の異常に関する異常情報を外部機器に送信して、前記液体の点滴の異常を報知させる報知部と、
として機能させるためのプログラム。
【発明の詳細な説明】
【技術分野】
【０００１】
本発明の実施形態は、点滴監視装置、サーバおよびプログラムに関する。
【背景技術】
【０００２】
従来から、点滴用の液体（例えば、薬剤など）が入った点滴容器からの点滴の終了通知、点滴容器からの点滴の終了時刻の通知を行う方法が開示されている。例えば、点滴容器の重さを計測しかつ当該計測した重さに基づいて点滴容器に入っている液体の残量が少なくなったことを知らせる方法、点滴容器に入った液体を注射針から一滴ずつ投与する際の液体の投与回数や単位時間内における投与回数に基づいて点滴の終了時刻を予測する方法がある。
【０００３】
また、点滴容器の重量を計測しかつ当該計測した重さが基準重量（例えば、点滴開始時における点滴容器の重量の５％など）となった場合に、点滴終了予告信号を外部機器に出力する技術が開示されている（特許文献１参照）。
【発明の概要】
【発明が解決しようとする課題】
【０００４】
しかしながら、従来技術においては、点滴容器からの点滴の終了をナース等に知らせることができるが、点滴容器や当該点滴容器に入った液体を投与する注射針等に不具合が生じて、点滴容器からの点滴速度が、患者に対して安全に点滴可能な予め設定された点滴速度を基準とする範囲から外れた場合に、点滴容器からの点滴の異常をナース等に知らせることはできない、という課題がある。
【課題を解決するための手段】
【０００５】
実施形態の点滴監視装置は、計測部と、報知部と、を備える。計測部は、点滴する液体が入った点滴容器の重量を計測する。報知部は計測された重量の変化に基づいて液体の点滴速度を算出するとともに、算出した点滴速度が、予め設定された点滴速度を基準とする許容速度範囲外である場合、液体の点滴の異常を報知する。
【図面の簡単な説明】
【０００６】
【図１】図１は、第１の実施形態にかかる点滴監視システムの構成を示すブロック図である。
【図２】図２は、第１の実施形態にかかる点滴監視システムが有する点滴監視装置の概略構成を示す図である。
【図３】図３は、第１の実施形態にかかる点滴監視システムが有する点滴監視装置のハードウェア構成を示す図である。
【図４】図４は、第１の実施形態にかかる点滴監視システムが有するサーバのハードウェア構成を示す図である。
【図５】図５は、第１の実施形態にかかる点滴監視システムが有する点滴監視装置およびサーバの機能構成を示すブロック図である。
【図６】図６は、第１の実施形態にかかる点滴監視システムが有する点滴監視装置における重量の送信処理の流れを示すフローチャートである。
【図７】図７は、第１の実施形態にかかる点滴監視システムが有するサーバにおける点滴の異常の報知処理の流れを示すフローチャートである。
【図８】図８は、第２の実施形態にかかる点滴監視装置の機能構成を示すブロック図である。
【図９】図９は、第２の実施形態にかかる点滴監視装置における点滴の異常の報知処理の流れを示すフローチャートである。
【発明を実施するための形態】
【０００７】
以下、添付の図面を参照して、本実施形態にかかる点滴監視システムについて説明する。
【０００８】
（第１の実施形態）
図１は、第１の実施形態にかかる点滴監視システムの構成を示すブロック図である。本実施形態にかかる点滴監視システム１は、図１に示すように、点滴監視装置１０と、無線ＡＰ（Access  Point）１１と、サーバ１２と、端末装置１３と、表示装置１４とが、有線または無線のＬＡＮ（Local  Area  Network）１５を介して通信可能に接続されている。
【０００９】
点滴監視装置１０は、病院内の病室等において患者への点滴を監視する装置である。点滴監視装置１０は、病院内の各病室等に設けられた無線ＡＰ１１を介して、病院内のサーバルームに設置されたサーバ１２に、患者への点滴の監視結果（本実施形態では、点滴する薬剤等の液体が入った点滴容器１６の重量）などを送信する。
【００１０】
端末装置１３は、病院内の看護師等により携帯される携帯型の情報処理端末である。端末装置１３は、無線ＡＰ１１を介して、サーバ１２にアクセスして、各種情報（例えば、患者への点滴の監視結果、患者の電子カルテ等）を受信して当該各種情報を表示可能である。
【００１１】
無線ＡＰ１１は、点滴監視装置１０や端末装置１３等をＬＡＮ１５に接続する機能を有している。
【００１２】
サーバ１２は、病院内での看護作業等に必要な各種情報（例えば、患者への点滴の監視結果、患者の電子カルテ等）を記憶するとともに、当該各種情報を端末装置１３や表示装置１４等との間で送受信する。
【００１３】
表示装置１４は、病院内のナースステーションに設置され、サーバ１２から各種情報を受信し、受信した各種情報を表示可能である。
【００１４】
次に、図１および図２を用いて、第１の実施形態にかかる点滴監視システム１が有する点滴監視装置１０の概略構成について説明する。図２は、第１の実施形態にかかる点滴監視システムが有する点滴監視装置の概略構成を示す図である。
【００１５】
点滴監視装置１０は、自装置をイルリガートルスタンド等のスタンド１７に吊り下げ支持可能な第１支持部１００と、点滴する液体が入った点滴容器１６を自装置に吊り下げ支持可能な第２支持部１０１と、ＬＣＤ（Liquid  Crystal  Display）等で構成され点滴容器１６から患者への点滴の監視結果等の各種情報を表示する表示部１０３と、ハードウェアキー等で構成され点滴監視装置１０に対する操作内容を入力可能な入力部１０４と、を備えている。
【００１６】
図３は、第１の実施形態にかかる点滴監視システムが有する点滴監視装置のハードウェア構成を示す図である。図３に示すように、点滴監視装置１０は、ＣＰＵ（Central  Processing  Unit）１０５、ＲＯＭ（Read  Only  Memory）１０６、ＲＡＭ（Random  Access  Memory）１０７、入力部１０４、表示部１０３、加速度センサ１０８、重量センサ１０９および通信インターフェース（Ｉ／Ｆ）１１０を備えている。
【００１７】
ＣＰＵ１０５は、ＲＯＭ１０６に記憶された各種プログラムを実行することにより、点滴監視装置１０の各部を制御する。ＲＯＭ１０６は、ＣＰＵ１０５により実行される各種プログラム等を記憶している。ＲＡＭ１０７は、点滴監視装置１０の主記憶装置であり、ＣＰＵ１０５の作業領域として機能する。
【００１８】
また、ＣＰＵ１０５には、各種の入出力回路（図示しない）を介して、入力部１０４および表示部１０３が接続されている。入力部１０４は、上述したように、ハードウェアキー等で構成され、看護師により入力された点滴監視装置１０に対する操作内容をＣＰＵ１０５に通知する。表示部１０３は、上述したように、ＬＣＤ等で構成され、各種情報を表示する。本実施形態では、入力部１０４をハードウェアキーで構成するものとしたが、これに限定するものではなく、表示部１０３の表示画面上に積層配置されたタッチパネルで構成しても良い。
【００１９】
また、ＣＰＵ１０５には、加速度センサ１０８、重量センサ１０９および通信Ｉ／Ｆ１１０が接続されている。加速度センサ１０８は、点滴監視装置１０の加速度を検出する。重量センサ１０９は、点滴容器１６の重量を計測する計測部として機能する。本実施形態では、重量センサ１０９は、第２支持部１０１により点滴監視装置１０に吊り下げられている点滴容器１６の重量を計測する。通信Ｉ／Ｆ１１０は、無線ＬＡＮモジュール等で構成され、無線ＡＰ１１を介してサーバ１２等と通信を行うためのインターフェースである。
【００２０】
図４は、第１の実施形態にかかる点滴監視システムが有するサーバのハードウェア構成を示す図である。図４に示すように、サーバ１２は、ＣＰＵ１２０、ＲＯＭ１２１、ＲＡＭ１２２、入力部１２３、表示部１２４、記憶部１２５および通信Ｉ／Ｆ１２６を備えている。
【００２１】
ＣＰＵ１２０は、ＲＯＭ１２１および記憶部１２５に記憶された各種プログラムを実行することにより、サーバ１２の各部を制御する。ＲＯＭ１２１は、ＣＰＵ１２０により実行される各種プログラム等を記憶している。ＲＡＭ１２２は、サーバ１２の主記憶装置であり、ＣＰＵ１２０の作業領域として機能する。
【００２２】
また、ＣＰＵ１２０には、入力部１２３および表示部１２４が接続されている。入力部１２３は、キーボードやポインティングデバイス等で構成され、点滴監視システム１の管理者等により入力されたサーバ１２に対する操作内容をＣＰＵ１２０に通知する。表示部１２４は、ＬＣＤ等で構成され、各種情報を表示する。
【００２３】
また、ＣＰＵ１２０には、記憶部１２５および通信Ｉ／Ｆ１２６が接続されている。記憶部１２５は、ＨＤＤ（Hard  Disk  Drive）やフラッシュメモリ等で構成され、ＣＰＵ１２０が実行する各種プログラム等を記憶する。また、記憶部１２５は、点滴監視装置１０を識別可能な装置情報（例えば、点滴監視装置１０のＩＰアドレス、ＭＡＣアドレスなど）と対応付けて、点滴を行っている患者を特定する患者情報（例えば、患者ＩＤ、患者の体重など）と、点滴する液体を特定する液体情報（例えば、点滴する薬剤の名称など）と、点滴監視装置１０により計測された点滴容器１６の重量を表す重量情報と、を記憶する重量テーブルを有している。さらに、記憶部１２５は、点滴する液体を特定する液体情報と、当該液体情報により特定される液体の点滴容器１６の重量である容器重量（言い換えると、液体が入っていない状態での点滴容器１６の容器重量）を表す容器重量情報（以下、容器重量情報を容器重量と記す）と、を対応付けて記憶する容器重量テーブルを有している。通信Ｉ／Ｆ１２６は、点滴監視システム１が備えた他の機器と通信を行うためのインターフェースである。
【００２４】
次に、図５および図６を用いて、第１の実施形態にかかる点滴監視システム１における点滴の異常を報知する処理について説明する。図５は、第１の実施形態にかかる点滴監視システムが有する点滴監視装置およびサーバの機能構成を示すブロック図である。図６は、第１の実施形態にかかる点滴監視システムが有する点滴監視装置における重量の送信処理の流れを示すフローチャートである。図７は、第１の実施形態にかかる点滴監視システムが有するサーバにおける点滴の異常の報知処理の流れを示すフローチャートである。
【００２５】
まず、点滴監視装置１０における重量の送信処理について説明する。点滴監視装置１０は、ＣＰＵ１０５がＲＯＭ１０６に記憶されたプログラムを実行することにより、送信部１０５０を実現する。また、サーバ１２は、ＣＰＵ１２０がＲＯＭ１２１（または記憶部１２５）に記憶されたプログラムを実行することにより、取得部１２００および報知部１２０１を実現する。
【００２６】
送信部１０５０は、入力部１０４から、点滴監視の開始、すなわち、点滴容器１６の重量の計測開始が指示されたか否かを判断する（ステップＳ６０１）。点滴容器１６の重量の計測開始が指示された場合、送信部１０５０は、重量センサ１０９による点滴容器１６の重量の計測を開始する（ステップＳ６０２）。重量センサ１０９は、予め設定された時間毎に点滴容器１６の重量を計測する。
【００２７】
そして、送信部１０５０は、通信Ｉ／Ｆ１１０を介して、重量センサ１０９による点滴容器１６の重量を計測する間隔（予め設定された時間）より長い所定時間毎に、重量センサ１０９により計測された重量を表す重量情報（以下、重量情報は重量と記す）をサーバ１２に送信する（ステップＳ６０３）。本実施形態では、送信部１０５０は、重量センサ１０９により計測された重量を、当該重量の計測開始が指示されてから最初にサーバ１２に送信する場合、重量センサ１０９により計測された重量とともに、自装置を識別可能な装置情報と、入力部１０４から予め入力された患者情報および液体情報と、をサーバ１２に送信する。
【００２８】
また、本実施形態では、送信部１０５０は、重量センサ１０９により計測された重量をサーバ１２に送信する際、当該重量が計測された時刻を表す時刻情報（以下、時刻情報を時刻と記す）を付加する。これにより、送信部１０５０は、重量センサ１０９により計測された重量を、当該重量が計測された時刻を表す時刻情報とともに送信する。点滴監視装置１０は、ＲＴＣ（Real  Time  Clock）等の計時装置を有し、送信部１０５０は、この計時装置から、重量センサ１０９により重量が計測された時刻を取得し、取得した時刻を、重量が計測された時刻として、計測された重量に付加する。
【００２９】
また、送信部１０５０は、重量センサ１０９により計測された重量を、計測開始が指示されてから２回目以降にサーバ１２に送信する場合、重量センサ１０９により計測された重量とともに、少なくとも、装置情報をサーバ１２に送信すれば良い。
【００３０】
次いで、送信部１０５０は、重量センサ１０９により計測された重量をサーバ１２に送信する度に、入力部１０４から、点滴容器１６の重量の計測終了が指示されたか否かを判断する（ステップＳ６０４）。点滴容器１６の重量の計測終了が指示されていない場合（ステップＳ６０４：Ｎｏ）、送信部１０５０は、ステップＳ６０３に示す処理に戻り、重量センサ１０９により計測された重量のサーバ１２への送信を繰り返す。
【００３１】
一方、点滴容器１６の重量の計測終了が指示された場合（ステップＳ６０４：Ｙｅｓ）、送信部１０５０は、重量センサ１０９により計測された重量の送信を終了するとともに、重量センサ１０９による点滴容器１６の重量の計測も終了する。
【００３２】
次に、サーバ１２における点滴の異常を報知する処理について説明する。取得部１２００は、点滴監視装置１０から、当該点滴監視装置１０の重量センサ１０９により計測された点滴容器１６の重量を取得する（ステップＳ７０１）。本実施形態では、重量に当該重量が計測された時刻が付加されているため、取得部１２００は、重量を取得することにより、当該重量が計測された時刻も取得できる。本実施形態では、取得部１２００は、点滴監視装置１０により点滴容器１６の重量の計測が開始されてから最初に重量を取得する場合、点滴監視装置１０の重量センサ１０９により計測された点滴容器１６の重量とともに、点滴監視装置１０を識別可能な装置情報と、点滴監視装置１０の入力部１０４から予め入力された患者情報および液体情報と、を点滴監視装置１０から取得する。そして、取得部１２００は、取得した装置情報に対応付けて、患者情報と、液体情報と、点滴容器１６の重量と、を記憶部１２５（重量テーブル）に記憶させる。
【００３３】
また、取得部１２００は、点滴監視装置１０により点滴容器１６の重量の計測が開始されてから２回目以降に重量を取得する場合、点滴監視装置１０の重量センサ１０９により計測された点滴容器１６の重量とともに、少なくとも、装置情報を点滴監視装置１０から取得すれば良い。そして、取得部１２００は、取得した重量を、取得した装置情報と一致する装置情報と対応付けて記憶部１２５（重量テーブル）に記憶させる。
【００３４】
報知部１２０１は、記憶部１２５に記憶された装置情報毎に、当該装置情報と対応付けて記憶された重量の変化および当該重量に付加された時刻に基づいて、液体の点滴速度を算出する（ステップＳ７０２）。本実施形態では、報知部１２０１は、記憶部１２５に記憶された装置情報毎に、当該装置情報と対応付けて記憶された複数の重量のうち、最も新しい時刻が付加された重量と、当該最も新しい時刻の次に新しい時刻が付加された重量との差分（以下、現在の点滴容器１６の重量という）を、最も新しい時刻と当該最も新しい時刻の次に新しい時刻との間の時間により除算した値を、液体の点滴速度として算出する。
【００３５】
本実施形態では、報知部１２０１は、最も新しい時刻が付加された重量と、当該最も新しい時刻の次に新しい時刻が付加された重量との差分を、最も新しい時刻と当該最も新しい時刻の次に新しい時刻との間の時間により除算した値を、液体の点滴速度として算出しているが、これに限定するものではない。例えば、報知部１２０１は、最も古い時刻が付加された重量と、最も新しい時刻が付加された重量との差分を、最も古い時刻と最も新しい時刻との間の時間により除算した値を、液体の点滴速度として算出しても良い。また、報知部１２０１は、最も新しい時刻が付加された重量と、当該最も新しい時刻から所定時間前の時刻が付加された重量との差分を、最も新しい時刻と当該最も新しい時刻から所定時間前の時刻との間の時間により除算した値を、液体の点滴速度として算出しても良い。
【００３６】
本実施形態では、報知部１２０１は、記憶部１２５において装置情報と対応付けて記憶された複数の重量のうち、最も新しい時刻が付加された重量と当該最も新しい時刻の次に新しい時刻が付加された重量との差分を、現在の点滴容器１６の重量としているが、液体が入っていない状態の点滴容器１６の容器重量を考慮して、現在の点滴容器１６の重量を算出することも可能である。
【００３７】
具体的には、報知部１２０１は、記憶部１２５（重量テーブル）において装置情報と対応付けて記憶された液体情報を特定するとともに、記憶部１２５（容器重量テーブル）において、当該特定した液体情報と対応付けて記憶された点滴容器１６の容器重量（液体が入っていない状態での点滴容器１６の容器重量）を読み出す。そして、報知部１２０１は、記憶部１２５（重量テーブル）において装置情報と対応付けて記憶された複数の重量のうち、最も新しい時刻が付加された重量と当該最も新しい時刻の次に新しい時刻が付加された重量との差分から、読み出した点滴容器１６の容器重量を減算した値を、現在の点滴容器１６の重量としても良い。これにより、現在、点滴容器１６に残っている液体の残量をより正確に算出することができる。本実施形態では、液体が入っていない状態での点滴容器１６の容器重量を予め記憶部１２５（容器重量テーブル）に記憶させているが、これに限定するものではなく、例えば、点滴監視装置１０において計測された重量とともに、点滴監視装置１０から、液体が入っていない状態での点滴容器１６の容器重量を取得しても良い。
【００３８】
また、本実施形態では、報知部１２０１は、記憶部１２５（重量テーブル）において装置情報と対応付けて記憶された重量の変化に基づいて、点滴容器１６からの液体の点滴が終了する時刻（以下、終了予測時刻という）を算出する。具体的には、報知部１２０１は、現在の点滴容器１６の重量を点滴速度で除算して、点滴が終了するまで時間を算出する。次いで、報知部１２０１は、現在時刻から当該算出した時間後の時刻を、終了予測時刻として算出する。
【００３９】
次に、報知部１２０１は、算出した点滴速度が、予め設定された点滴速度を基準とする許容速度範囲外であるか否かを判断する（ステップＳ７０３）。本実施形態では、報知部１２０１は、点滴監視装置１０から最初に重量を取得する際に、点滴監視装置１０から、予め設定された点滴速度を取得する。そして、報知部１２０１は、算出した点滴速度が、取得した予め設定された点滴速度を基準とする許容速度範囲外であるか否かを判断する。ここで、許容速度範囲は、予め設定された点滴速度を基準として、その変化が許容される点滴速度の範囲である。本実施形態では、サーバ２には、予め設定された点滴速度を基準として、変化が許容される点滴速度の変化量が予め設定されている。報知部１２０１は、予め設定された変化量および予め設定された点滴速度に基づいて、許容速度範囲を決定する。
【００４０】
また、本実施形態では、報知部１２０１は、点滴監視装置１０から、予め設定された点滴速度を取得しているが、これに限定するものではない。例えば、報知部１２０１は、記憶部１２５（重量テーブル）に装置情報と対応付けて記憶された患者情報（例えば、患者ＩＤ、患者の体重など）および液体情報（例えば、点滴する薬剤）の少なくともいずれか一方に基づいて、予め設定された点滴速度を取得しても良い。
【００４１】
そして、報知部１２０１は、算出した点滴速度が許容速度範囲外であると判断した場合（ステップＳ７０３：Ｙｅｓ）、液体の点滴の異常に関する異常情報を、通信Ｉ／Ｆ１２６を介して端末装置１３および表示装置１４（いずれも外部機器の一例）に送信して、液体の点滴の異常を報知させる（ステップＳ７０４）。ここで、異常情報とは、液体の点滴の異常に関する情報であり、例えば、点滴の異常が発生した点滴監視装置１０の装置情報、点滴の異常が発生した患者情報、ステップＳ７０２において算出した点滴速度、点滴の異常を知らせるメッセージなどである。
【００４２】
端末装置１３および表示装置１４は、異常情報を受信すると、受信した異常情報を自身が備える表示部（図示しない）に表示させたりして、点滴の異常を看護師等に報知する。本実施形態では、端末装置１３および表示装置１４は、自身が備える表示部（図示しない）に異常情報を表示させて、点滴の異常を報知しているが、これに限定するものではなく、例えば、自身が備えるスピーカ（図示しない）から音声を出力して、点滴の異常を看護師等に報知しても良い。
【００４３】
一方、報知部１２０１は、算出した点滴速度が許容速度範囲内であると判断した場合（ステップＳ７０３：Ｎｏ）、算出した終了予測時刻を、通信Ｉ／Ｆ１２６を介して端末装置１３および表示装置１４（いずれも外部機器の一例）に送信して、当該終了予測時刻を報知する（ステップＳ７０５）。また、報知部１２０１は、算出した終了予測時刻とともに、現在の点滴容器１６の重量、当該現在の点滴容器１６の重量が所定重量以下である場合には点滴の終了を通知するメッセージなどを、通信Ｉ／Ｆ１２６を介して端末装置１３および表示装置１４に送信することも可能である。
【００４４】
このように、第１の実施形態の点滴監視システム１によれば、点滴容器１６からの点滴速度が、患者に対して安全に点滴可能な予め設定された点滴速度を基準とする許容速度範囲から外れた場合に、点滴容器１６からの点滴の異常を看護師等に知らせることができる。
【００４５】
（第２の実施形態）
本実施形態は、点滴監視装置が、点滴容器からの液体の点滴の異常を報知する例である。以下の説明では、第１の実施形態と同様の箇所については説明を省略する。
【００４６】
図８は、第２の実施形態にかかる点滴監視装置の機能構成を示すブロック図である。図９は、第２の実施形態にかかる点滴監視装置における点滴の異常の報知処理の流れを示すフローチャートである。本実施形態にかかる点滴装置８００は、報知部８０１を有している。
【００４７】
報知部８０１は、入力部１０４から、点滴容器１６の重量の計測開始が指示されたか否かを判断する（ステップＳ９０１）。点滴容器１６の重量の計測開始が指示された場合（ステップＳ９０１：Ｙｅｓ）、報知部８０１は、重量センサ１０９による点滴容器１６の重量の計測を開始する（ステップＳ９０２）。重量センサ１０９は、予め設定された時間毎に点滴容器１６の重量を計測する。本実施形態では、報知部８０１は、重量センサ１０９により計測された重量に、計時装置により計時された時刻を付加して、ＲＡＭ１０７に記憶させる。
【００４８】
次いで、報知部８０１は、重量センサ１０９により計測された重量（ＲＡＭ１０７に記憶された重量）の変化に基づいて、液体の点滴速度を算出する（ステップＳ９０３）。報知部８０１は、算出した点滴速度が、予め設定された点滴速度を基準とする許容速度範囲外であるか否かを判断する（ステップＳ９０４）。ステップＳ９０３およびステップＳ９０４に示す処理の詳細は、第１の実施形態にかかるサーバ１２の報知部１２０１における処理と同様である。
【００４９】
次いで、報知部８０１は、算出した点滴速度が許容速度範囲外であると判断した場合（ステップＳ９０４：Ｙｅｓ）、液体の点滴の異常に関する異常情報を、表示部１０３に表示させたり、通信Ｉ／Ｆ１２６を介して端末装置１３および表示装置１４（いずれも外部機器の一例）に送信したりして、液体の点滴の異常を報知させる（ステップＳ９０５）。
【００５０】
一方、報知部８０１は、算出した点滴速度が許容速度範囲内であると判断した場合（ステップＳ９０４：Ｎｏ）、算出した終了予測時刻を、表示部１０３に表示させたり、通信Ｉ／Ｆ１２６を介して端末装置１３および表示装置１４（いずれも外部機器の一例）に送信したりして、当該終了予測時刻を報知する（ステップＳ９０６）。
【００５１】
次いで、報知部８０１は、入力部１０４から、点滴容器１６の重量の計測終了が指示されたか否かを判断する（ステップＳ９０７）。点滴容器１６の重量の計測終了が指示されていない場合（ステップＳ９０７：Ｎｏ）、報知部８０１は、ステップＳ９０３に示す処理に戻り、点滴速度の算出を繰り返す。
【００５２】
一方、点滴容器１６の重量の計測終了が指示された場合（ステップＳ９０７：Ｙｅｓ）、報知部８０１は、点滴速度の算出を終了するとともに、重量センサ１０９による点滴容器１６の重量の計測も終了する。
【００５３】
また、報知部８０１は、点滴容器１６からの点滴が行われている間、加速度センサ１０８（検出部）により検出された加速度が所定の加速度より大きいか否かを判断する。そして、報知部８０１は、加速度センサ１０８により検出された加速度が所定の加速度より大きい場合、ステップＳ９０５と同様にして、点滴の異常を報知する。これにより、何らかの原因によりスタンド１７が倒れる等して、点滴に異常が発生した場合に、点滴の異常を看護師等に知らせることができる。
【００５４】
このように、第２の実施形態の点滴監視装置８００によれば、点滴容器１６からの点滴速度が、患者に対して安全に点滴可能な予め設定された点滴速度を基準とする許容速度範囲から外れた場合に、点滴容器１６からの点滴の異常を看護師等に知らせることができる。
【００５５】
以上説明したとおり、第１，２の実施形態によれば、点滴容器１６からの点滴の異常を看護師等に知らせることができる。
【００５６】
上述の実施形態の点滴監視装置およびサーバで実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００５７】
さらに、上述の実施形態の点滴監視装置およびサーバで実行されるプログラムを、インターネット等のネットワークに接続されたコンピュータ上に格納し、ネットワーク経由でダウンロードさせることにより提供するように構成しても良い。また、上述の実施形態の点滴監視装置およびサーバで実行されるプログラムをインターネット等のネットワーク経由で提供または配布するように構成しても良い。
【００５８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５９】
１  点滴監視システム
１０，８００  点滴監視装置
１１  無線ＡＰ
１２  サーバ
１３  端末装置
１４  表示装置
１５  ＬＡＮ
１６  点滴容器
１７  スタンド
１００  第１支持部
１０１  第２支持部
１０３，１２４  表示部
１０４，１２３  入力部
１０５，１２０  ＣＰＵ
１０６，１２１  ＲＯＭ
１０７，１２２  ＲＡＭ
１０８  加速度センサ
１０９  重量センサ
１１０，１２６  通信Ｉ／Ｆ
１２５  記憶部
１０５０  送信部
１２００  取得部
１２０１，８０１  報知部
【先行技術文献】
【特許文献】
【００６０】
【特許文献１】特開２００５−２２４４１８号公報
【図１】
2014171475.tif 000003
【図２】
2014171475.tif 000004
【図３】
2014171475.tif 000005
【図４】
2014171475.tif 000006
【図５】
2014171475.tif 000007
【図６】
2014171475.tif 000008
【図７】
2014171475.tif 000009
【図８】
2014171475.tif 000010
【図９】
2014171475.tif 000011